(57)【要約】  【課題】利用者にとって面倒で特別なアクセス操作を必要とせず、かつ、利用者が希望する場合に限って、利用者が所望するカラオケ楽曲に関連する付加情報を表示できるカラオケシステムの提供。  【解決手段】所定のカラオケ楽曲に、通常の演奏データからなるバージョンと、当該演奏データに加え、当該カラオケ楽曲に関連する付加情報が付帯されてなるバージョンとを設定し、それぞれのバージョンには固有のカラオケ楽曲のＩＤコードを付与し、通常行っているカラオケ楽曲のＩＤコードの入力予約登録と全く同じ操作をもって、利用者が所望するカラオケ楽曲に関連する付加情報を表示させる。【選択図】図６
2005215301.tif 000002
【特許請求の範囲】
【請求項１】
カラオケ演奏装置が多数のカラオケ楽曲の演奏データを保持し、利用者が所望するカラオケ楽曲のＩＤコードの入力予約登録に従い演奏が行われるカラオケシステムにおいて、所定のカラオケ楽曲には、通常の演奏データからなるバージョンと、当該演奏データに加え、当該カラオケ楽曲に関連する付加情報が付帯されてなるバージョンとが設定され、それぞれのバージョンには固有のカラオケ楽曲のＩＤコードが付与されて管理されることを特徴とするカラオケシステム。
【請求項２】
前記付加情報が付帯されたカラオケ楽曲が、当該楽曲のＩＤコードをキーデータとし、これに紐付けされた、前記付加情報が付帯されていない同一楽曲のカラオケ楽曲のＩＤコードと、当該楽曲に関連する所定の付加情報の管理コードと、当該付加情報の付帯期限データとが登録された付加情報付帯カラオケ楽曲管理テーブルにて管理されることを特徴とする請求項１記載のカラオケシステム。
【請求項３】
前記付加情報付帯カラオケ楽曲管理テーブルにおいて、前記付加情報の付帯期限データに基づき、前記付加情報が付帯されたカラオケ楽曲のＩＤコードが自動登録されたり、自動消去されることを特徴とする請求項２記載のカラオケシステム。
【発明の詳細な説明】
【技術分野】
【０００１】
本発明は、利用者が所望するカラオケ楽曲のＩＤコードの入力予約登録に従い、カラオケ演奏装置をもって演奏が行われるカラオケシステムに関し、さらに詳しくは、所定のカラオケ楽曲に関連する付加情報を表示するカラオケシステムに関する。
【背景技術】
【０００２】
最近、所定のカラオケ楽曲の演奏前ないし演奏後あるいは演奏中において、その楽曲を作成したアーティスト本人によるメッセージやその楽曲を上手く唄うための歌唱指導を提供するレッスン情報、あるいは、楽曲の内容や楽曲を作成したアーティストに関連した商品やサービスについての広告情報などといった付加情報を表示するサービスが行われ、利用者には所望の楽曲に関するより多くの情報が提供されると共に、楽曲に関連するビジネスの深耕や喚起に役立つものとして、このようなサービスを提供するためのシステムに関する技術が多々開発されてきた。
【０００３】
例えば、特許文献１では、演奏予約されたカラオケ楽曲と関連する広告情報が記憶手段に記憶されているかどうかを検索・判定する手段を有し、記憶されていた場合には、当該広告情報を表示させる技術が開示されている。さらに、特許文献２では、カラオケ演奏端末のタイプ毎に異なるＩＣＭデータ（情報・宣伝・広告データ）をダウンロードし、さらに、ダウンロードしたＩＣＭデータを当該端末の状況に合わせて再編集することにより、効率的で最適なＩＣＭを再生する技術が開示されている。また、特許文献３では、楽曲の歌唱指導のために制作編集された映像と音声のデータを含んで楽曲単位で構成された歌唱指導番組を多数曲分蓄積した歌唱指導番組データベースを用意し、利用者により指定されたカラオケ楽曲に対する歌唱指導番組を当該データベースから取り出し、これをディスプレイ装置とオーディオ装置へ出力する技術が開示されている。
【特許文献１】特許第３４１７７０７号公報
【特許文献２】特開平０９−２６５２９４号公報
【特許文献３】特開２００３−０４４０６３号公報
【発明の開示】
【発明が解決しようとする課題】
【０００４】
しかしながら、従来技術においては、最適な付加情報を提供できるように構成されているものの、通常は個々の利用者には無関係に、一方的に付加情報を表示してしまうという不都合があったり、あるいは、システム設計面で機構が複雑になるという問題がある。一方、上記特許文献３にも見られるように、利用者が付加情報（歌唱指導番組）を指定できるような技術もあるが、従来技術では、付加情報専用の利用者インタフェイスを設定したり、利用者による指定方法が、カラオケ楽曲のＩＤコードの入力予約登録とは異なる特別なアクセス操作（特許文献３では、楽曲ＩＤコードの他に特定符号を入力）を必要とするなど、これについても機構面や操作性に不都合が生じている。
【０００５】
そこで、本発明は、上記問題や不都合を解消するために想到されたもので、すなわち、利用者にとって面倒で特別なアクセス操作を必要とせず、かつ、利用者が希望する場合に限って、利用者が所望するカラオケ楽曲に関連する付加情報を表示できるカラオケシステムの提供を課題とする。
【課題を解決するための手段】
【０００６】
上記課題を鑑み、本発明者らは、所定のカラオケ楽曲には、通常の演奏データからなるバージョンと、当該演奏データに加え、当該カラオケ楽曲に関連する付加情報が付帯されてなるバージョンとを設定し、それぞれのバージョンには固有のカラオケ楽曲のＩＤコードを付与し、通常行っているカラオケ楽曲のＩＤコードの入力予約登録と全く同じ操作をもって、利用者が所望するカラオケ楽曲に関連する付加情報を表示させることで、上記課題を解決できることを見出し、本発明のカラオケシステムを想到した。
【０００７】
すなわち、本発明の請求項１記載のカラオケシステムは、カラオケ演奏装置が多数のカラオケ楽曲の演奏データを保持し、利用者が所望するカラオケ楽曲のＩＤコードの入力予約登録に従い演奏が行われるカラオケシステムにおいて、所定のカラオケ楽曲には、通常の演奏データからなるバージョンと、当該演奏データに加え、当該カラオケ楽曲に関連する付加情報が付帯されてなるバージョンとが設定され、それぞれのバージョンには固有のカラオケ楽曲のＩＤコードが付与されて管理されることを特徴とする。
【０００８】
さらに、本発明の請求項２記載のカラオケシステムは、請求項１記載のカラオケシステムにおいて、前記付加情報が付帯されたカラオケ楽曲が、当該楽曲のＩＤコードをキーデータとし、これに紐付けされた、前記付加情報が付帯されていない同一楽曲のカラオケ楽曲のＩＤコードと、当該楽曲に関連する所定の付加情報の管理コードと、当該付加情報の付帯期限データとが登録された付加情報付帯カラオケ楽曲管理テーブルにて管理されることを特徴とする。
【０００９】
そして、本発明の請求項３記載のカラオケシステムは、請求項２記載のカラオケシステムにおいて、前記付加情報付帯カラオケ楽曲管理テーブルにおいて、前記付加情報の付帯期限データに基づき、前記付加情報が付帯されたカラオケ楽曲のＩＤコードが自動登録されたり、自動消去されることを特徴とする。
【発明の効果】
【００１０】
本発明の請求項１記載のカラオケシステムによれば、所定のカラオケ楽曲には、演奏データからなるバージョンと、当該演奏データに加え、当該カラオケ楽曲に関連する付加情報が付帯されてなるバージョンとが設定され、それぞれのバージョンには固有のカラオケ楽曲のＩＤコードが付与されて管理されているため、利用者は、利用者が所望するカラオケ楽曲に関連する付加情報を見たい場合には、付加情報が付帯されたカラオケ楽曲のＩＤコードを、通常の入力予約登録操作によって指定できるので、利用者にとって面倒で特別なアクセス操作を必要とせず、かつ、利用者が希望する場合に限って付加情報を表示できるといった効果を奏する。
【００１１】
さらに、本発明の請求項２記載のカラオケシステムによれば、付加情報が付帯されたカラオケ楽曲のＩＤコードをキーデータとし、これに紐付けされた付加情報が付帯されていない同一楽曲のカラオケ楽曲のＩＤコードと、当該楽曲に関連する所定の付加情報の管理コードと、当該付加情報の付帯期限データとが登録された付加情報付帯カラオケ楽曲管理テーブルにて管理されているので、バージョンの違いでＩＤコードは異なるものの、それぞれに演奏データを保持する必要はなく、紐付けにより単一の演奏データを使えるため、システム全体のデータ量を減らすことができ、さらに、演奏データと付加情報を自在に組み合わせができるため、同一楽曲に対する付加情報を所定の期限で入れ替えたり、あるいは、期限を越えた付加情報を削除する場合でも、付加情報のみのデータ変更だけで済むなど、システム設計上、効率面で優れた効果を奏する。
【００１２】
そして、本発明の請求項３記載のカラオケシステムによれば、付加情報の付帯期限データに基づき、前記付加情報が付帯されたカラオケ楽曲のＩＤコードが自動登録されたり、自動消去されることにより、付加情報の期限管理の自動化が図られ、また、付加情報の付帯遅れや、期限切れ付加情報の誤表示あるいは付加情報の重複などのトラブルを防止することができ、管理の効率性や信頼性が向上する。
【発明を実施するための最良の形態】
【００１３】
以下、本発明のカラオケシステムについて、最適な実施例を挙げ、本発明を詳述する。
【実施例１】
【００１４】
図１は、本発明のカラオケシステムにおけるカラオケリモコン装置の外観図であり、図２は、そのカラオケリモコン装置のブロック構成図である。図１に示すように、カラオケリモコン装置（Ｒ）は、Ｂ５判ほどの寸法で厚みのあるパネル型のキーボードレス・コンピュータであり、外観的には装置正面の大部分が液晶表示手段（１ａ）に透明タッチセンサ（１ｂ）を重ねた液晶タッチパネル（１）で占められ、内部には、ＣＰＵ・ＲＡＭ・ＲＯＭを含む中央制御手段（２）と、液晶表示手段（１ａ）を表示駆動するＬＣＤドライバ（３）と、透明タッチセンサ（１ｂ）に対する入力座標を検出する操作制御手段（４）と大容量の記憶手段であるフラッシュメモリ（５）と、カラオケ演奏装置に向けてリモコン信号を発信するための赤外線ＬＥＤ（６）およびＬＥＤドライバ（７）と、リモコンクレードルと結合して充電される電源電池（図示省略）と、リモコンクレードルに付属のデータ通信装置を介してカラオケ演奏装置とデータ通信する通信制御手段（８）などが実装されている。
【００１５】
中央制御手段（２）は、楽曲索引データベースをフラッシュメモリ（５）に格納して管理する。楽曲索引データベースは、カラオケ演奏装置で演奏に供される多数のカラオケ楽曲についての属性情報を記述したデータベースであり、楽曲のＩＤコード・曲名・アーティスト名・歌い出し部分の歌詞・流行時期・音楽ジャンル区分・使用された映画やテレビドラマのタイトル・使用されたテレビＣＭ・各種音楽賞の受賞経歴・デュエット曲か否かなど、さまざまな属性情報がこれに含まれている。カラオケリモコン装置をカラオケ演奏装置に接続されているリモコンクレードルに結合した状態において、中央制御手段（２）は通信制御手段（８）を介してカラオケ演奏装置とデータ通信し、楽曲索引データベースの内容を更新するようにシステム構成されている。
【００１６】
中央制御手段（２）は、利用者が希望の楽曲を前記楽曲索引データベースに基づいて検索するための処理を上記の利用者インタフェイスの媒介で実行する。このデータベース検索処理の初期状態では、図３のカラオケリモコン装置表示画面に示すように、検索メニュー画面（イ）が液晶タッチパネル（１）に表示される。この検索メニュー画面（イ）の曲名検索ボタンにタッチ入力すると、（ロ）に示すように、５０音のカナ文字パレット画面に表示が切り替わり、その画面上でカナ文字にタッチして曲名の頭文字から順番に入力して検索実行ボタンにタッチ入力すると、図４のカラオケリモコン装置表示画面の（ハ）に示すように、楽曲索引データベースから該当する楽曲群が抽出されて一覧表示される。さらに、利用者が所望する楽曲の決定ボタンにタッチ入力すると、（ニ）に示すように、その楽曲の詳細画面が表示される。この画面上で転送ボタンにタッチ入力すると、その楽曲の識別情報を含んだ演奏予約リモコン信号がカラオケ演奏装置に向けて発信される。
【００１７】
図５は、本発明のカラオケシステムにおけるカラオケ演奏装置のブロック構成図を示している。カラオケ演奏装置（Ｐ）は、パソコン相当のコンピュータ応用機器であり、中央処理装置（５１）がＣＰＵ・ＲＯＭ・ＲＡＭを含んだコンピュータ本体であり、大容量の記憶手段であるＨＤＤ装置（５２）と、加入電話回線またはＩＳＤＮ回線を介してカラオケホスト装置と通信する通信制御装置（５３）と、利用者からの入力情報を受け付けるとともに利用者に向けて案内情報や応答情報を提示する利用者インタフェイス装置（５４）と、ＭＩＤＩデータを主体にした音楽演奏データに基づいて伴奏音楽の音響信号を生成する音楽生成装置（５５）と、伴奏音楽やマイク（Ｍ）からの音響信号を増幅してスピーカ（Ｓ）から発音する音響装置（５６）と、ＣＲＴやＬＣＤあるいはＰＤＰなどを用いたディスプレイ装置（５７）と、このディスプレイ装置（５７）に表示すべき画像データを処理する画像処理装置（５８）などを備えている。
【００１８】
中央処理装置（５１）は適宜な記憶部に演奏予約の待ち行列を作成し、カラオケ楽曲の演奏順番を管理している。利用者インタフェイス装置（５４）により入力される演奏予約データ中に楽曲を特定する６桁の数字からなるＩＤコード（楽曲識別情報）が含まれており、所定のカラオケ楽曲には、通常の演奏データからなるバージョンと、当該演奏データに加え、当該カラオケ楽曲に関連する付加情報が付帯されてなるバージョンとが設定されており、それぞれのバージョンには固有のＩＤコードが付与されている。そして、中央処理装置（５１）は、演奏予約データが入力されたならば、その中の楽曲のＩＤコードがカラオケ楽曲データベースに登録されている演奏可能な楽曲の番号であることを確認した上で、その楽曲のＩＤコードを待ち行列に登録する。
【００１９】
次に、中央処理装置（５１）は待ち行列から登録順に楽曲のＩＤコードを取り出し、ＨＤＤ装置（５２）のカラオケ楽曲データベースから該当するカラオケ楽曲の演奏データを取り出して処理する。このＨＤＤ装置（５２）には、カラオケ楽曲のＩＤコードデータ（５２ａ）と、１つのＩＤコードに対応するカラオケ楽曲データとして、ＭＩＤＩデータやＡＤＰＣＭデータなどで表現されたカラオケ伴奏音楽の起源となる演奏データ（５２ｂ）と、伴奏音楽に同期した歌詞字幕を表示するための歌詞字幕データ（図示省略）と、伴奏音楽の出力期間に歌詞字幕の背景として表示すべき映像データ（図示省略）を直接または間接に指定する映像指定データ（図示省略）などが登録されている。
【００２０】
以下、図６に示す、付加情報付帯カラオケ楽曲管理テーブルの概略的構成図に基づき、本発明をさらに詳述する。本実施例の付加情報付帯カラオケ楽曲管理テーブル（Ｔ）は、付加情報が付帯されたカラオケ楽曲のＩＤコードフィールド（ｆ１）と、そのフィールド（ｆ１）における各データをキーデータとし、これに紐付けされた、付加情報が付帯されていない同一楽曲のカラオケ楽曲のＩＤコードフィールド（ｆ２）と、当該楽曲に関連する所定の付加情報の管理コードフィールド（ｆ３）と、付加情報の付帯期限データフィールド（ｆ４）と、さらに、付加情報を所定のカラオケ楽曲の演奏前ないし演奏後あるいは演奏中の何れかに表示するための指示データとして、表示タイミングフィールド（ｆ５）を主な構成要素としている。
【００２１】
この付加情報付帯カラオケ楽曲管理テーブル（Ｔ）に対応して、図４に示すカラオケ演奏装置（Ｐ）のＨＤＤ装置（５２）には、前述したカラオケ楽曲のＩＤコードデータ（５２ａ）やカラオケ楽曲の演奏データ（５２ｂ）に加え、楽曲を作成したアーティスト本人によるメッセージやその楽曲を上手く唄うための歌唱指導を提供するレッスン情報、あるいは、楽曲の内容や楽曲を作成したアーティストに関連した商品やサービスについての広告情報など、上記付加情報の管理コードに紐付けされた付加情報（５２ｃ）と、通常、情報には、その有効性を損なわないように期限管理が必要なため、所定のカラオケ楽曲に付帯されるための付帯期限データ（５２ｄ）と、付加情報を所定のカラオケ楽曲の演奏前ないし演奏後あるいは演奏中の何れかに表示するための指示データとして、演奏区間データ（時間データ）から構成された表示タイミングデータ（５２ｅ）などが登録されている。
【００２２】
所定のカラオケ楽曲には、通常の演奏データからなるバージョンと、当該演奏データに加え、当該カラオケ楽曲に関連する付加情報が付帯されてなるバージョンとが設定され、バージョンの違いでＩＤコードは異なるが、同一楽曲であれば、それぞれのバージョンに演奏データを保持する必要はなく、紐付けにより単一の演奏データを共有でき、紐付けを変えることにより、演奏データと付加情報とを自在に組み合わせができる。なお、同一楽曲に対し、異なる種類の付加情報が付帯されれば異なるＩＤコードが付与される。また、付加情報付帯カラオケ楽曲管理テーブルにおいて、付加情報の付帯期限データに基づき、付帯期限が将来の時点で設定された場合には、予め仮登録されたＩＤコードとこれに紐付けされた各データが、その時点の到達時に正式に自動登録されると共に、付帯期限が過ぎればＩＤコードは自動消去されるように設定するのが好ましく、これにより管理の効率性や信頼性が向上する。
【００２３】
以上、詳述したように、本発明のカラオケシステムによれば、通常の演奏データからなるバージョンと、当該演奏データに加え、当該カラオケ楽曲に関連する付加情報が付帯されてなるバージョンとを設定し、それぞれのバージョンには固有のカラオケ楽曲のＩＤコードを付与し、通常行っているカラオケ楽曲のＩＤコードの入力予約登録と全く同じ操作をもって、利用者が所望するカラオケ楽曲に関連する付加情報を表示させることにより、利用者にとって面倒で特別なアクセス操作を必要とせず、かつ、利用者が希望する場合に限って、利用者が所望するカラオケ楽曲に関連する付加情報を表示できる。
【図面の簡単な説明】
【００２４】
【図１】本発明のカラオケシステムにおけるカラオケリモコン装置の外観図。
【図２】図１のカラオケリモコン装置のブロック構成図。
【図３】カラオケリモコン装置表示画面。
【図４】カラオケリモコン装置表示画面。
【図５】本発明のカラオケシステムにおけるカラオケ演奏装置のブロック構成図。
【図６】付加情報付帯カラオケ楽曲管理テーブルの概略的構成図。
【符号の説明】
【００２５】
Ｔ  付加情報付帯カラオケ楽曲管理テーブル
ｆ１  楽曲ＩＤコードフィールド
ｆ２  付加情報無し楽曲コードフィールド
ｆ３  付加情報の管理コードフィールド
ｆ４  付加情報付帯期限フィールド
ｆ５  表示タイミングフィールド
【図１】
2005215301.tif 000003
【図２】
2005215301.tif 000004
【図３】
2005215301.tif 000005
【図４】
2005215301.tif 000006
【図５】
2005215301.tif 000007
【図６】
2005215301.tif 000008